(57)【要約】【課題】車体を側面からみた場合の外観を美しくしたフォークリフトを提供する。【解決手段】上記フォークリフトの座席下に設けられている複数の収納箱の表面を一体にして覆うサイドカバーを左右両面にそれぞれ１枚を備えた構成とした。【選択図】　図１
2004075335.tif 000002
【特許請求の範囲】
【請求項１】
座席下に設けられている複数の収納箱の表面を一体にして覆う左右両面にそれぞれ１枚のサイドカバーを備えたことを特徴とするフォークリフト。
【発明の詳細な説明】
【０００１】
【発明の属する技術分野】
本発明は、サイドカバーを設けたフォークリフトに関する。
【０００２】
【従来の技術】
図６は、従来より用いられているカウンタバランス型のフォークリフトの側面図であり図７はカウンタバランス型のフォークリフトの後方からの斜視図である。図６に示すように、フォーリフトは、車体１に搭載された電源であるバッテリ２により走行モータ３に給電して走行する。また、ハンドル５により操舵が行なわれ、走行時の速度はアクセルペダル１０の踏み込み量によって決定される。
【０００３】
尚、マスト６の前面下部にはリフトブラケット８が備えられ、更に、マスト６の後部には当該リフトブラケット８を昇降駆動するリフトシリンダ７を備えて、当該リフトブラケット８に一対のフォーク９が取り付けられている。また、作業者がリフトレバー１２を操作すると上記リフトシリンダ７が伸縮駆動されて、フォーク９が昇降されるようになっている。
【０００４】
また、図７に示すように、上記したようなフォークリフトにおいて、作業者が着座する座席２１の下にはフォークリフトの電気的な制御部品である図６に示す電装品２０を収納するセンターフード１６とその後部に図６に示すバッテリ２を収納するバッテリケース１５が設けられ、また、バッテリケース１５上部には開閉自在にバッテリカバー１５ａが取り付けられている。このように電装品２０とバッテリ２とを別の収納箱に収納することによって電装品２０とバッテリ２は分離されてフォークリフトに取り付けられている。これによって、例えば、バッテリ２の溶液が漏れて電装品２０にダメージを与えることを避けることができ、電装品２０とバッテリ２とを別の収納箱に収納することは安全性の上からも有効な手段である。また、フォークリフトを製造するとき、電装品２０を収納するセンターフード１６とバッテリ２を収納するバッテリケース１５を別々に組み立てて、座席２１の下に、センターフード１６が前部に、また、バッテリケース１５が後部に位置するようにアセンブリされている。このように電装品２０を収納するセンターフード１６とバッテリ２を収納するバッテリケース１５は分離されてフォークリフトに搭載されているが、バッテリ２のメンテナンス時等には、座席下に設けられているヒンジ２２を中心にして座席２１を前に跳ね上げて、バッテリケース１５の上部のバッテリカバー１５ａを中心方向に向って上に開いてバッテリ２のメンテナンスを行なっている。
【０００５】
【発明が解決しようとする課題】
しかしながら、上記従来のように、座席２１の下に電装品２０とバッテリ２とを別々の収納箱、すなわちセンターフード１６及びバッテリケース１５に収納するものであれば、図７に示すように、座席の下のセンターフード１６とバッテリケース１５の間に、例えば、１ｃｍ前後の隙間１７が縦に生じ、フォークリフトを側面から見た場合、外観上好ましくないという問題があった。
【０００６】
本発明は、上記従来の事情に基づいて提案されたものであって、車体を側面からみた場合の外観を美しくしたフォークリフトを提供することを目的とする。
【０００７】
【課題を解決するための手段】
本発明は、上記目的を達成するために以下の手段を採用している。すなわち、本発明は、図１に示すように、フォークリフトに以下に説明するサイドカバー１８を設けたことを特徴としている。すなわち、左右両面のそれぞれのサイドカバー１８はフォークリフトの座席２１の下に設けられている複数の収納箱１５、１６を一体にして覆う。
【０００８】
これによって、複数の収納箱１５、１６の継ぎ目にできる隙間を外観上見えなくし、美観が著しく向上する。
【０００９】
【発明の実施の形態】
以下、本発明の実施の形態について、図面に従って詳細に説明する。尚、以下の実施の形態は、本発明を具体化した一例であって、本発明の技術的範囲を限定する性格のものではない。
【００１０】
図１は、本実施の形態におけるフォークリフトの側面図であり、図２はサイドカバー取り付け部の斜視図であり、また、図３はサイドカバーの斜視図である。以下その構成を上記従来と異なる点のみ説明する。
【００１１】
図１に示すように、フォークリフトの座席２１の下に設けられている電装品２０の収納箱であるセンターフード１６とバッテリ２の収納箱であるバッテリケース１５との表面を一体にして、左右各一枚のサイドカバー１８ａ及び１８ｂ（図２参照）で覆っている。また、図２に示すように、このサイドカバー１８ａ及び１８ｂは座席の下の左右両側面にそれぞれ一枚ずつ設けられている。
【００１２】
さらに、図３に示すように、サイドカバー１８ａ及び１８ｂの後端はＬ字形に折り曲げられて、取付辺３１が形成され、当該取付辺３１に対して直角に例えば２本のピン２５が立てられている。また、サイドカバー１８ａ及び１８ｂの前端下部に、上記取付辺３１に対応して、サイドカバー１８ａ及び１８ｂに対してＬ字形に折り曲げられるとともに、センターフード１６の前面に沿うように取付片３２が設けられ、当該取付片３２には丸穴２３が穿設されている。一方、上記バッテリケース１５の後方のフレーム２８の前端の両外側上下には上記ピン２５と符合するピン穴２７を設けた延設板２６を張り出した構成になっている。上記の構成において、図２に示すように上記ピン２５を上記延設板２６のピン穴２７に挿入し、サイドカバー１８ａ及び１８ｂの前端下部に設けられた上記取付片３２の丸穴２３を介してセンターフード１６の前端下部にビス留めする。
【００１３】
更に、バッテリカバー１５ａは左右方向に分割されて２枚より構成され、中央に向って片方ずつあるいは両方同時に開くことができるようになっている。このような構成において、バッテリケース１５とサイドカバー１８ａ及び１８ｂの間に上記延設板２６の張り出し幅に応じた隙間が形成されることになり、バッテリカバー１５ａを上に開き得ることになる。従って、座席２１の下に設けられている図７に示すヒンジ２２を中心にして座席２１を前に跳ね上げて、バッテリカバー１５ａを中心方向に向って上に開くことができる。
【００１４】
なお、バッテリカバー１５ａのバッテリケース１５への固定は、例えば、図２に示すように、左右各一枚のバッテリカバー１５ａの前端上部とセンターフード１６の後端上部を一対の固定金具３３で固定し、また、左右各一枚のバッテリカバー１５ａの後端上部とフレーム２８の前端上部を一対の固定金具３４で固定する。
【００１５】
また、上記バッテリケース１５とサイドカバー１８ａ及び１８ｂとの隙間が少ないときには、図５に示すようにバッテリカバー１５ａの一端にヒンジ３０を取り付けてバッテリカバー１５ａの他端を上に開くようにしてもよい。この場合、バッテリカバー１５ａのバッテリケース１５への固定は、左右各一枚のバッテリカバー１５ａの後端上部とフレーム２８の前端上部を一対の固定金具３４で固定するだけでよい。
【００１６】
このようにセンターフード１６及びバッテリケース１５の表面を左右各一枚のサイドカバー１８ａ及び１８ｂで覆うことによって、図６及び図７に示すセンターフード１６とバッテリケース１５との間にできる隙間１７が外観から見えなくなり、フォークリフトの側面の美観が著しく向上する。尚、サイドカバー１８ａ及び１８ｂの材質は金属、合成樹脂などいずれであってもよい。
【００１７】
また、図５はサイドカバー１８ａ及び１８ｂを外した図であり、図５に示すように、センターフード１６の一側面あるいは両側面に開口部１９（図２参照）を設けておけば、センターフード１６内に収められている電装品２０のメンテナンスを行なう場合、サイドカバー１８ａ及び１８ｂの少なくとも一方を外せば、フォークリフトの側面から容易に電装品２０の修理、点検を行なうことができメンテナンス性が著しく向上する。また、センターフード１６を組み立てるとき、センターフード１６に組み込む電装品２０をセンターフード１６の側面より取り付けることができ、組みて性も向上する。
【００１８】
【発明の効果】
以上のように、本発明によれば座席の下に設けられているセンターフード及びバッテリケースを一体にして、左右両面それぞれ一枚のサイドカバーで覆う構成としているため、センターフードとバッテリケースとの間にできる隙間が外部より見えなくなり、美観が著しく向上することができる。また、センターフードの一側面あるいは両側面に開口部を設けておけば、サイドカバーを外せば、フォークリフトの側面から容易に電装品の修理、点検を行なうことができメンテナンス性及び組み立て性が著しく向上することができる。
【図面の簡単な説明】
【図１】本発明の実施の形態におけるフォークリフトの側面図である。
【図２】本発明の実施に形態にけるサイドカバー取り付け部の斜視図である。
【図３】本発明に実施の形態にけるサイドカバーの斜視図である。
【図４】本発明の実施の形態におけるバッテリカバーの開閉の側面図である。
【図５】本発明の実施の形態におけるサイドカバーを外したフォークリフトの側面図である。
【図６】従来の技術におけるフォーリフトの側面図である。
【図７】従来技術におけるフォークリフトの後方からの斜視図である。
【符号の説明】
１　　　車体
２　　　バッテリ
３　　　走行モータ
５　　　ハンドル
６　　　マスト
７　　　リフトシリンダ
８　　　リフトブラケット
９　　　フォーク
１２　　リフトレバー
１５　　バッテリケース
１５ａ　バッテリカバー
１６　　センターフード
１７　　隙間
１９　　開口部
２０　　電装品
２１　　座席
２２　　ヒンジ
２３　　丸穴
２５　　ピン
２６　　延設板
２７　　ピン穴
２８　　フレーム
３０　　ヒンジ
３１　　取付辺
３２　　取付片
３３　　固定金具
【図１】
2004075335.tif 000003
【図２】
2004075335.tif 000004
【図３】
2004075335.tif 000005
【図４】
2004075335.tif 000006
【図５】
2004075335.tif 000007
【図６】
2004075335.tif 000008
【図７】
2004075335.tif 000009